(57)【要約】【課題】  インクジェット印刷可能ＲＦＩＤラベルおよびインクジェット印刷可能ＲＦＩＤラベルを印刷する方法を提供する。【解決手段】  インクジェット印刷可能ＲＦＩＤラベルは、バッキングおよびバッキングに結合されるＲＦＩＤ回路を含むＲＦＩＤタグと、バッキングに結合され、ＲＦＩＤ回路を覆う積層体であって、無機インクジェット受容表面を含む積層体と、を含む。インクジェット受容表面は、インクを前記ＲＦＩＤ回路の上にある積層体に直接印刷できるようにする。【選択図】無し【特許請求の範囲】
【請求項１】
バッキングおよび該バッキングに結合されるＲＦＩＤ回路を含むＲＦＩＤタグと、
前記バッキングに結合され、前記ＲＦＩＤ回路を覆う積層体であって、無機インクジェット受容表面を含む積層体と、
を備えるインクジェット印刷可能ＲＦＩＤラベルであって、
前記インクジェット受容表面は、インクを前記ＲＦＩＤ回路の上にある前記積層体に直接印刷できるようにする、インクジェット印刷可能ＲＦＩＤラベル。
【請求項２】
前記積層体は、前記バッキングの第１の表面に結合される接着剤と、該接着剤の、前記バッキングの第１の表面とは反対側に結合する基板と、を備え、前記インクジェット受容表面が前記基板に前記接着剤から離間して配置されるようになっている、請求項１に記載のインクジェット印刷可能ＲＦＩＤラベル。
【請求項３】
前記基板は高分子基板を含み、前記インクジェット受容表面は、前記高分子基板の表面上にコーティングされる無機粒子を含む、請求項２に記載のインクジェット印刷可能ＲＦＩＤラベル。
【請求項４】
前記高分子基板の表面上にコーティングされる前記無機粒子は、インクジェット印刷されたインクを吸収し、かつ耐水性を有するように構成される多孔性表面を形成する、請求項３に記載のインクジェット印刷可能ＲＦＩＤラベル。
【発明の詳細な説明】
【技術分野】
【０００１】
態様は、ＲＦＩＤ対応ラベルに関し、特に、インクジェット受容積層体を含むインクジェット印刷可能ＲＦＩＤ対応ラベルに関する。
【背景技術】
【０００２】
データ記憶装置が、コンピュータ、オーディオ、およびビデオの分野で大量の情報を記憶し、後で検索して使用するために数十年にわたって使用されてきている。データ記憶装置は、データおよびシステムをバックアップする一般的な選択であり続けている。
【０００３】
データ記憶装置は、概して、データ記憶テープカートリッジ、ハードディスクドライブ、マイクロディスクドライブ、名刺ドライブ（ｂｕｓｉｎｅｓｓ  ｃａｒｄ  ｄｒｉｖｅ）、およびリムーバブルメモリ記憶装置を含む。こういったデータ記憶装置は、企業体および政府機関が使用するデータの記憶およびデータシステムのバックアップに有用である。例えば、企業は、ヒューマンリソースデータ、雇用データ、順守監査、および安全／検査データ等の重要情報のバックアップを日常的にとる。政府ソースは、納税者識別番号、源泉徴収書、および監査情報に関連する膨大な量のデータを集めて記憶する。議会は、サーベンス・オクスリー法（Ｐｕｂ．Ｌ．１０７−２０４、１１６  Ｓｔａｔ．７４５（２００２））の可決後、政府により要求される監査および調査に関連するデータおよび記録の安全な保管を保証する多くの株式公開企業の動機をさらに提供した。
【０００４】
データの収集および記憶は、企業の日常的なよい習慣になった。これに関連して、データは、企業または他のエンティティにより各種フォーマットで生成され得、同じデータの１つ以上のバックアップが、通常、安全／セキュアな格納のためにオフサイトリポジトリに輸送または移送される１つ以上のデータ記憶装置に保存されることが多い。時々、バックアップデータ記憶装置が、レビューおよび／またはアップデートのためにオフサイトリポジトリから検索される。各種設備間でのデータ記憶装置の移動は、装置が置き間違えられる危険性を生じさせる。企業は、各装置および各装置に記憶されているデータを識別して、移動中のバックアップデータ記憶装置の追跡を容易にし、それにより、バックアップデータ記憶装置を置き間違える、または紛失する危険性を最小限にすることに関心を有する。
【０００５】
上記を念頭に置き、通常、識別ラベルが、新たに製造された、または一新された各データ記憶装置の外部に取り付けられる。一般に、ラベルは、人が読むことのできる何等かの形態の印刷された識別情報を提供し、光学リーダでの読み取りに適した印刷データを含むこともできる。カートリッジラベルの印刷に適したラベル印刷機器は高価であるため、通常、カートリッジ製造業者は、ラベルを外部印刷ベンダーから注文する。
【０００６】
印刷される既知のカートリッジラベルは、印刷のスミアを防ぐために、何等かの形態のプラスチックフィルムコーティング（オーバーコート）を含む。このようなカートリッジラベルは、一般に、カラーサーマルプリンタまたはレーザプリンタ（高温印刷および高圧印刷が関連する）で印刷され、プラスチックフィルムで積層され、適当な大きさに打抜かれ、シートの形態でカートリッジ製造業者に出荷される。カートリッジラベルは高価であり得る。さらに、注文の中でたった１つの印刷ラベルが正しくない場合であっても、その注文全体を再び製造することが必要になることがあり、これは製造の遅れに繋がり得る。
【発明の開示】
【発明が解決しようとする課題】
【０００７】
データ記憶装置ユーザ側で、物理的なデータのセキュリティおよび来歴に対する関心が高まっている。製造業者は、データ記憶装置の追跡を可能にするシステムおよび／またはプロセスに関心を有している。このため、データ記憶装置のラベル付けに対する改良により、公私両方のビジネスセクタが恩恵を受ける。
【課題を解決するための手段】
【０００８】
一実施形態は、バッキングおよびバッキングに結合されるＲＦＩＤ回路を有するＲＦＩＤタグと、バッキングに結合され、ＲＦＩＤ回路を覆う積層体であって、無機インクジェット受容表面を含む積層体と、を含むインクジェット印刷可能ＲＦＩＤラベルを提供する。インクジェット受容表面は、インクをＲＦＩＤ回路の上にある積層体に直接印刷できるようにする。
【０００９】
別の実施形態は、複数のＲＦＩＤラベルを含むシートを提供する。シートは、剥離ライナ、剥離ライナに接した接着層、接着層に接したＲＦＩＤタグアレイ、およびＲＦＩＤタグ上に配置されるラベルストックを含む。各ＲＦＩＤタグは、バッキングおよびバッキングに取り付けられるＲＦＩＤ回路を含む。ラベルストックは、接着剤層の反対側でＲＦＩＤタグのバッキングに結合される第２の接着剤、第２の接着剤に結合される基板、および第２の接着剤から離れて基板上に配置されるインクジェット受容表面を含む。
【００１０】
別の実施形態は、ＲＦＩＤラベルをインクジェット印刷する方法を提供する。方法は、第１の表面および第２の表面を形成するバッキング、第２の表面に取り付けられる無線周波数回路、および第１の表面に取り付けられるインクジェット受容積層体を含むＲＦＩＤタグを提供するステップを含む。方法は、インクジェット印刷可能ラベルストックの構成要素としてインクジェットプリンタにＲＦＩＤタグを挿入するステップと、ラベルストックのインクジェット受容積層体のインクジェット受容表面上に印（ｉｎｄｉｃｉａ）をインクジェット印刷するステップと、をさらに含む。
【００１１】
別の実施形態は、データ記憶カートリッジに取り付け可能な複数のボリューム通し番号（ＶＯＬＳＥＲ）ラベルを含むシートを提供する。シートは、剥離ライナ、および剥離ライナに取り外し可能に結合されるＶＯＬＳＥＲラベルを含む。各ＶＯＬＳＥＲラベルは、剥離ライナに接した接着剤、接着剤に結合される基板、および基板上に接着剤から離間して配置されるインクジェット受容表面を含む。この点に関して、インクジェット受容表面は、基板上にコーティングされて多孔性インクジェット受容表面を形成する無機粒子を含む。
【００１２】
添付図面は、本発明のさらなる理解を提供するために含められ、本明細書に援用されてその一部を構成する。図面は実施形態例を示し、説明と共に本発明の原理を説明する役割を果たす。他の実施形態および実施形態の意図する利点の多くが、以下の詳細な説明を参照することでよりよく理解されたときに容易に理解されよう。図面の要素は必ずしも互いに一定の縮尺であるわけではない。同様の参照数字は対応する同様の部分を示す。
【発明を実施するための最良の形態】
【００１３】
実施形態は、民生用インクジェットプリンタでの印刷に適したインクジェット印刷可能ＲＦＩＤラベルを提供する。インクジェット印刷可能ＲＦＩＤラベルは、ラベルにインクジェット印刷された印の見通し線読み取りを提供し、高速光学スキャンに向けて構成されるインクジェット印刷バーコードを提供し、ラベルのＲＦＩＤタグのチップに記憶されたデータの無線読み取りに向けて構成されるＲＦＩＤタグを含む。一実施形態では、インクジェット印刷可能ＲＦＩＤラベル上のインクジェット印刷可能な印は、耐水性を有する。すなわち、耐水性および耐スミア性を有し、耐水性の保持にフィルムオーバーコートを必要としない。インクジェット印刷可能ＲＦＩＤラベルは、耐水性を有する必要はない。インクジェット印刷可能ＲＦＩＤラベルは、標準の民生用インクジェットプリンタに対応し、１つ以上のラベルを、ラベル内のＲＦＩＤタグの回路を破損する危険性なく、便利かつ安価にインクジェット印刷することができる。
【００１４】
図１は、一実施形態によるインクジェット印刷可能ＲＦＩＤラベルのシート２０の上面図である。シート２０は、剥離ライナ２４に接着剤で取り付けられたＲＦＩＤラベルストックを含み、ＲＦＩＤラベルストック２２は、取り外し可能なインクジェット印刷可能ＲＦＩＤラベル２８ａ、２８ｂのアレイ２６を含む。各インクジェット印刷可能ＲＦＩＤラベル２８は、剥離ライナ２４から取り外され、シートから分離されて、データ記憶装置等の装置または複数のデータ記憶装置を含むカートンに配置されるように構成される。
【００１５】
アレイ２６は９つのＲＦＩＤラベル２８がそれぞれ２列になったアレイを示すが、２列よりも少数または多数の列を含んでもよく、各列に任意の適した数のＲＦＩＤラベル２８を提供してよい。各インクジェット印刷可能ＲＦＩＤラベル２８は、電子データを記憶する何等かの形態のメモリおよびＲＦＩＤラベル２８との通信を可能にする何等かの形態のアンテナを含む。
【００１６】
図２は、インクジェット印刷可能ＲＦＩＤラベル２８の断面図である。ＲＦＩＤラベル２８は、ＲＦＩＤタグ４０に接した剥離ライナ２４を含み、ＲＦＩＤタグ４０はインクジェット受容積層体４２に接する。
【００１７】
剥離ライナ２４は、接着表面から剥離可能に分離するように構成される任意の適した剥離ライナを含むことができ、シリコンコーティングされた基板等を含むことができる。
【００１８】
ＲＦＩＤタグ４０は、第１の表面５２および第２の表面５４を形成するバッキング５０、第２の表面５４に取り付けられた無線周波数回路５６、および第２の表面５４に隣接する接着層５８を含む。
【００１９】
一実施形態では、バッキング５０は、キャリアを回路５６および接着剤５８に提供する。これに関連して、バッキング５０の一実施形態は、印刷される様式の回路の導電性インクの受容に適した基板を提供する。バッキング５０に適した材料は、フィルム等のセルロース材料または高分子材料を含む。例えば、一実施形態では、バッキング５０は、２層以上の金属フォイルが接着されたポリエステルバッキングである。金属フォイルがエッチングされて、アンテナ（後述）、コンデンサ、および集積回路（ＩＣ）パッドが形成される。適した接続が、異方性導電性接着剤等を介してフォイル層と１つ以上の集積回路との間に作られる。
【００２０】
回路５６は、一般に、バッキング５０の表面５２、５４の一方に印刷、配線、または配置される。一実施形態では、メモリチップ６０が回路５６から、バッキング５０の第２の表面５４から離れて突出し、突出部を形成する。一実施形態では、接着剤５８は、図２に示すようにメモリチップ６０上にコーティングされる。
【００２１】
接着剤５８は、ライナ２４が取り外された後、ＲＦＩＤラベル２８を表面（カートン表面またはカートリッジ表面等）に取り付けられるようにするものが選択される。これに関連して、好ましくは、接着剤５８は室温で粘着性を有する。適した接着剤５８は、ポリブチルアクリラートまたはポリ２−エチルヘキシルアクリラート等の感圧アクリラート接着剤、ダイメックス（Ｄｙｍｅｘ）４８８等のＵＶ硬化接着剤、温度硬化接着剤または湿度硬化接着剤、および／またはエポキシ等の反応型接着剤を含む。
【００２２】
インクジェット受容積層体４２は、別個の接着剤７０、接着剤７０に接する基板７２、および基板７２に接するインクジェット受容表面７４を含む。
【００２３】
別個の接着剤７０は様々な形態をとることができ、インクジェット受容積層体４２がＲＦＩＤタグ４０と一体になるように接合されることを確実にするものが選択される。一実施形態では、接着剤７０は、約−３５℃〜約７０℃の温度変化および約７０％ＲＨ〜約９５％ＲＨのオーダの相対湿度に曝されたときに、基板７２が縁に沿ってＲＦＩＤタグ４０から剥がれないように選択される。
【００２４】
適した接着剤７０は、ポリブチルアクリラートまたはポリ−２−エチルヘキシルアクリラート等のアクリラートベースの接着剤、ダイメックス（Ｄｙｍｅｘ）４８８等のＵＶ硬化接着剤、温度硬化接着剤、湿度硬化接着剤、および／またはエポキシ等の反応型接着剤を含む。
【００２５】
一実施形態では、基板７２はインクジェット受容体と共に通常利用される任意のものであってよく、例えば、紙、樹脂コート紙、ポリエチレンテレフタレート（ＰＥＴ）、ポリエチレンナフタレート（ＰＥＮ）、ポリエチレン、ポリプロピレン、ポリオレフィン全般、塩化ビニル樹脂、ポリカーボネート等のプラスチック、各種ガラス材料、および既知の微孔性材料である。必要に応じて、抗酸化剤、静電防止剤、可塑剤、および／または他の既知の添加剤を基板７２に組み込むことができる。一実施形態では、基板７２が、紙（すなわち、セルロース繊維１０重量％超として定義される）ではなく合成スクリム（すなわち、ポリマーで構成されるスクリム）または高分子フィルム（例えば、ポリエチレン、ポリプロピレン、ポリエチレンテレフタレート、塩化ビニル等）から形成されることが好ましい。この理由は、合成スクリムおよび高分子フィルムが紙と比較して湿気を吸収する傾向が低いためである。このようなスクリムは、インクジェット受容積層体４２とバッキング５０との寸法変化の差速を最小限に抑え、それにより、インクジェット受容積層体４２がラベル２８の部分から離層する可能性を最小限に抑える。
【００２６】
一実施形態では、基板７２は適した厚さを有し、インクジェット受容積層体４２が可撓性を有するように構成される。基板７２を図２に単一材料層として示すが、代替の実施形態では、基板７２は２層以上を含んでもよい。
【００２７】
一実施形態では、インクジェット受容表面７４は、基板７２上のコーティング（例えば、１つ以上の溶液および／または分散液のコーティング、乾燥、および硬化）として形成される。この手法を用いると、インクジェット受容表面７４は、無機粒子（例えば、シリカ、アルミナ等）、ポリビニルアルコール、ポリビニルピロリジノン、ポリビニルアセテート、ポリエチルオキサゾリン、および／またはゼラチン等（これらはほんの数例にすぎない）の結合材等の既知のインクジェット受容材料を含むことができる。インクジェット受容表面７４は、有機ビーズまたは無機充填粒子を有さない高分子微孔構造を含むこともできる。一実施形態では、インクジェット受容表面７４は、硬化すると、膨張または寸法変化することなく毛細管現象によりインクジェット印刷されたインク等のインクを吸収するように構成されるナノ多孔性表面を形成する。インクジェット受容表面７４は図１に単層として示されるが、代替の実施形態では、インクジェット受容表面７４は２層以上からなってもよい。
【００２８】
好ましくは、インクジェット受容積層体４２は、後述するようにかなり白いか、または銀色である。このため、基板７２、インクジェット受容表面７４、またはこれら両方は、二酸化チタン、硫酸バリウム、炭酸カルシウム、酸化アルミニウム、および／または二酸化シリコン等（これらはほんの数例にすぎない）の充填材料を含むことができる。
【００２９】
図３は、剥離ライナ２４（図１）から取り外されたインクジェット印刷可能ＲＦＩＤラベル２８の底面図であり、ＲＦＩＤタグ４０の回路５６をよりよく示すために接着剤５８が除去されている。回路５６は、メモリチップ６０および装置がメモリチップ６０と無線通信できるようにするアンテナ８０を含む。
【００３０】
一実施形態では、ＲＦＩＤタグ４０は、無線リーダシステムにより操作されるソフトウェアによりプログラムされ、および／またはそのソフトウェアにより読み取られるように構成されるＥＰＣクラス１ＲＦＩＤタグである。別の実施形態では、ＲＦＩＤタグ４０は超高周波数（ＵＨＦ）タグである。高周波数（ＨＦ）タグ等の他の形態のＲＦＩＤタグ４０も許容可能である。
【００３１】
参考として、ＲＦＩＤタグ４０がパッシブＲＦＩＤタグの場合、それ自体の電源を採用しない。これに関連して、パッシブＲＦＩＤタグは、リーダシステムがタグへのアクセスを開始したときに常に「給電」される。例えば、リーダユニットがＲＦＩＤタグに問い合わせる場合、リーダのアンテナの交流電流により、パッシブＲＦＩＤタグ４０のアンテナ８０に電流が誘導される。この磁気的に誘導されたＲＦＩＤタグ４０の電流により、タグ４０はデータの送信および／または受信を行うことができる。これを念頭に置き、一実施形態では、ＲＦＩＤタグ４０は、およそ２ｍ未満の実効読み取り範囲を有するパッシブＲＦＩＤタグである。好ましくは、パッシブＲＦＩＤタグは、１Ａ／ｍ未満の磁場に応答し、１３．５６ＭＨｚに近い共振周波数を有する。このために、一実施形態では、メモリチップ６０は、無線周波数メモリチップであり、メモリへ／からの近接非接触式アクセスをサポートするための無線周波数インタフェース（図示せず）を含む。
【００３２】
一実施形態では、メモリチップ６０は、情報、例えば、表面７４に印刷されるデータのフォーマットおよび／またはラベル２８に関連するＶＯＬＳＥＲ番号等を複数のデータフィールドに記憶するように構成される。一実施形態では、メモリチップ６０のメモリは、ラベル２８の表面７４に存在するデータのサブセットを記憶する。代替の実施形態では、メモリチップ６０のメモリは、ラベル２８の表面７４に存在するすべてのデータを記憶し、６４ビットの一意のタグ識別子、８ビットのＲＦＩＤ改訂レベル、８８ビットのユーザ定義のＶＯＬＳＥＲ番号、３２ビットの巡回冗長チェック（ＣＲＣ）サム、１６０ビットの製造業者シリアルナンバー、ケースおよび／または装置識別番号、ならびに他のデータフィールドを含むフィールドを含むことができる。別の実施形態では、メモリチップ６０は、ラベル２８が取り付けられる、異なる装置毎に、異なるフィールド情報を記憶する。
【００３３】
このために、好ましくは、メモリチップ６０は、少なくとも装置情報が書かれるメモリ容量を有する電子メモリチップである。一実施形態では、メモリチップ６０は、電源「オフ」状況であっても記憶データを保持可能な電子メモリチップであり、例えばオランダのアイントホーフェン（Ｅｉｎｄｈｏｖｅｎ）所在のフィリップスセミコンダクターズ（Ｐｈｉｌｉｐｓ  Ｓｅｍｉｃｏｎｄｕｃｔｏｒｓ）から入手可能なＥＥＰＲＯＭチップとして知られている、例えば４ｋバイトの電気消去可能プログラマブル読出し専用メモリ（ＥＥＰＲＯＭ）チップである。別の実施形態では、メモリチップ６０は１ｋバイトのＥＥＰＲＯＭチップである。チップ６０に対して他のメモリフォーマットおよびサイズも許容可能なことが当業者には認識されよう。
【００３４】
一実施形態では、アンテナ８０は、銅コイル無線周波数（ＲＦ）アンテナである。代替の実施形態では、アンテナ８０はチップ６０内に集積される。いかなる点においても、アンテナ８０の他の材料および各種形態も許容可能なことを理解されたい。一般に、アンテナ８０は、無線リーダシステムと誘導結合してデータを送／受信するように構成される。これを念頭に置き、一実施形態では、アンテナ８０は、チップ６０に記憶されている情報を別個のリーダユニット内の送受信モジュール（図示せず）に通信するように構成されるＲＦアンテナである。
【００３５】
一実施形態では、ＲＦＩＤタグ４０は１３．５６ＭＨｚ  ＲＦＩＤシステムで利用され、アンテナ８０は、約１３．５６ＭＨｚの共振を発生させるリアクタンスを有する。これに関連して、２７ｐＦの静電容量を有するＲＦＩＤ回路の場合、アンテナコイルおよび並列コンデンサは、約＋ｊ４３５オームのリアクタンスを有し、これは約５．１μＨのインダクタンスと等価である。他のＩＣ静電容量は、１３．５６ＭＨｚで共振するために異なるアンテナリアクタンスを必要とする。このために、ＲＦＩＤタグ４０の他の静電容量およびアンテナリアクタンスも許容可能である。一実施形態では、アンテナ８０は、常駐周波数（ｒｅｓｉｄｅｎｔ  ｆｒｅｑｕｅｎｃｙ）を調整するように調整可能な静電容量を有する。別の実施形態では、アンテナ８０の静電容量はレーザトリミングされる。
【００３６】
ＲＦＩＤタグ４０が、ラベル２８（図１）の周縁内に収まり、かつアンテナ８０の適正範囲を有するようなサイズを有することが望ましい。これに関連して、一実施形態では、回路５６は、バッキング５０の境界内に配置されるのに最適なサイズを有し、アンテナ８０の周縁に近似する幅Ｗおよび長さＬを形成する。回路幅Ｗおよび回路長Ｌは、回路が取り付けられる装置のサイズに従ってサイズが決められ選択される。これを念頭に置き、例示的な幅Ｗは約５ｍｍ〜２０ｍｍであり、例示的な長さＬは約５０ｍｍ〜１００ｍｍである。回路５６、ひいてはアンテナ８０の幅Ｗおよび長さＬが、無線リーダとＲＦＩＤタグ４０との間に適した読み取り範囲を提供するように調整可能なことが当業者には認識されう。高周波タグに使用されるコイルアンテナの場合、コイルの面積が大きいほど、潜在的な読み取り範囲が大きくなる。
【００３７】
例えば、アンテナ８０の一態様は、約１５ｍｍの幅Ｗおよび約７７ｍｍの長さＬを提供し、結果としてアンテナ面積は約１１５５ｍｍ２になる。このようにして、ＲＦＩＤタグ４０がラベル２８（図１）の下に収まるようなサイズを有しながら、アンテナ８０に十分な範囲が提供される。別の例示的な実施形態では、アンテナ８０は約１５ｍｍの幅Ｗおよび約６２ｍｍの長さＬのサイズを有し、結果としてアンテナ面積は約９３０ｍｍ２になる。他の実施形態では、アンテナ８０は約８．８ｍｍの幅Ｗおよび約７０ｍｍの長さＬのサイズを有し、約６１６ｍｍ２のアンテナ面積を有し、薄型の外形を有する装置への取り付けに適する。さらに別の実施形態では、アンテナ８０は、約１５ｍｍの幅Ｗおよび約７７ｍｍの長さＬのサイズを有する。アンテナの上記寸法は例示的な寸法であり、他のアンテナ寸法も許容可能である。一般に、回路５６の幅Ｗおよび長さＬは、バッキング５０の寸法と比較してアンテナ８０の幅が約１ｍｍ短く、長さが約２ｍｍ短いようなサイズを有する。
【００３８】
図４は、インクジェット印刷可能ＲＦＩＤラベル２８の上面図である。ＲＦＩＤラベル２８の上面図は、図４に対して上を向いたインクジェット受容表面７４を提示する。一実施形態では、インクジェット受容表面７４は、ＶＯＬＳＥＲデータ９２を含むＶＯＬＳＥＲフィールド９０および光学的にスキャン可能なバーコードデータ９６を含むバーコードフィールド９４を含む。一実施形態では、ＶＯＬＳＥＲデータ９２は、取り付けられる装置に固有の一意の番号であるＶＯＬＳＥＲ番号を含む。他の実施形態では、ＶＯＬＳＥＲ番号は非一意の番号である。ＶＯＬＳＥＲ番号は、ユーザ定義であってもよく、または顧客が提供する仕様に従って製造業者が割り当ててもよい。
【００３９】
一般に、ＶＯＬＳＥＲデータ９２は、ＶＯＬＳＥＲ番号の終わりをマークする８８ビットフィールドと相関するＶＯＬＳＥＲ番号を含み、可変長および／または一意のＶＯＬＳＥＲ番号の読み取りおよび解釈を可能にする。これに関連して、一実施形態では、ＶＯＬＳＥＲ番号は、インクジェット受容表面７４上のＶＯＬＳＥＲデータ９２として印刷され、かつメモリチップ６０（図３）に電子的に保存される。ＶＯＬＳＥＲ番号は、所望のＶＯＬＳＥＲ番号が正しく印刷されたことを検証するチェックナンバーをＶＯＬＳＥＲフィールドに含むことができる。ＶＯＬＳＥＲ番号は、ヌルキャラクタ、例えばすべてバイナリ０の８ビット等の終了マークキャラクタを含むことができる。参考として、すべてのバイナリ０の８ビットがメモリの初期状態であり、これはストリング終了キャラクタおよびプログラム言語Ｃ／Ｃ＋＋にも一致する。一実施形態では、ＶＯＬＳＥＲ番号の読み出し時または書き込み時に顧客またはクライアント等の外部ソースが容易に復号化できるように、ＶＯＬＳＥＲ番号のビットパターンは暗号化されない。他の実施形態では、外部ソースによる復号化を防ぐためにＶＯＬＳＥＲ番号が暗号化される（例えば、ビット反転により）か、またはメモリチップ６０のメモリの容量を節約するように符号化される。これを念頭に置き、通常、ＲＦＩＤタグ４０（図２）のメモリチップ６０は、インクジェット受容表面７４に印刷されるデータの少なくともサブセットを含むようにプログラムされる。メモリチップ６０は、インクジェット受容表面７４に印刷されたデータを冗長的に記憶し、ラベル２８が取り付けられた製品の無線トレースを可能にする。
【００４０】
バーコードデータ９６は、フィールド９４を光学的にスキャン可能にするように構成されるバーコードスキャン可能ラインを含む。インクジェット印刷可能ＲＦＩＤラベル２８は、ラベル２８の見通し線読み取りを提供するＶＯＬＳＥＲフィールド９０およびバーコードフィールド９４、ラベル２８の光学スキャンを可能にするバーコードデータ９６、ならびにインクジェット受容表面７４に印刷されたデータの一部またはすべてに相関する、メモリチップ６０に記憶されたデータの無線周波数読み取りを可能にするＲＦＩＤタグ４０（図２）を含む。
【００４１】
図５は、一実施形態によるデータ記憶システム１００の斜視図である。データ記憶装置トレースシステム１００は、筐体１０４を有するデータ記憶装置１０２および筐体１０４に取り付けられたインクジェット印刷可能ＲＦＩＤラベル２８を含む。ＲＦＩＤラベル２８は、使用中／移動中に装置１０２を追跡し、および／またはトレースするに当たって有用なデータ記憶装置１０２の光学識別および無線識別を可能にする。
【００４２】
データ記憶装置１０２は、非ポータブルデータ記憶装置およびポータブルデータ記憶装置等の任意の適したデータ記憶装置を含むことができる。データ記憶装置１０２の実施形態は、適した数例を挙げれば、磁気テープデータ記憶カートリッジ、マイクロハードドライブ、ハードディスクドライブ、１／４インチカートリッジ、およびスケーラブルリニア記録カートリッジを含む。
【００４３】
図４をさらに参照して、データ記憶システム１００は、メモリチップ６０（図３）からＶＯＬＳＥＲ番号を無線で読み取り、および／またはインクジェット受容表面７４から情報を光学的に読み取るように構成されるリーダシステム（図示せず）との併用に対応する。これに関連して、ラベル２８は、取り付けられた装置１０２を一意に識別するために提供される。リーダシステムは、ラベル２８に遭遇すると、メモリチップ６０に問い合わせ、ＶＯＬＳＥＲデータ９２がバーコードデータ９６に相関すること、およびすべてのデータが特定の装置１０２に相関することを確認または否定する。これに関連して、リーダシステムは、データ記憶装置１０２がリーダシステムに入退出するときに、ＶＯＬＳＥＲ番号および／または他のデータを読み取り、データ記憶装置１０２をトレースするように構成される。データ記憶システム１００の他の実施形態は、データ記憶装置１０２がリーダシステムの近傍を通過するときに、メモリチップ６０に記憶されているデータの瞬時のワイヤレスの無線周波数による照合を提供する。
【００４４】
図６Ａは、一実施形態による別のデータ記憶システム１１０の斜視図である。データ記憶システム１１０は、データ記憶装置１０２、筐体１０４、および筐体１０４に取り付け可能なインクジェット印刷可能ＲＦＩＤアセンブリ１１２を含む。インクジェット印刷可能ＲＦＩＤアセンブリ１１２は、筐体１０４に取り付け可能なＲＦＩＤタグ４０およびＲＦＩＤタグ４０上に取り付け可能であり、かつ筐体１０４に取り付け可能なインクジェット受容積層体４２を含む。一実施形態では、ＲＦＩＤタグの接着剤５８は筐体１０４に接着し、インクジェット受容積層体４２の別個の接着剤７０はＲＦＩＤタグ４０および筐体１０４に接着する。これに関連して、実施形態は、積層体４２をＲＦＩＤタグ４０に結合する前にインクジェット受容積層体４２のインクジェット受容表面７４に別個にインクジェット印刷することを提供する。
【００４５】
図６Ｂは、一実施形態によるデータ記憶システム１２０の斜視図である。データ記憶システム１２０は、データ記憶装置１０２、筐体１０４、および筐体１０４に取り付け可能なインクジェット受容積層体４２を含む。一実施形態では、ＲＦＩＤタグ（図６Ａ）は任意であるか、または装置１０２の別の部分に配置され、インクジェット受容積層体４２の接着剤７０は筐体１０４に直接接着する。これに関連して、実施形態は、積層体４２を筐体１０４に結合する前にインクジェット受容積層体４２のインクジェット受容表面７４に別個にインクジェット印刷することを提供する。
【００４６】
図７Ａは、ＲＦＩＤラベル２８のシート２０をインクジェット印刷するシステム１５０の斜視図である。システム１５０は、シート２０を受け取り、複数の別個のインクジェット受容表面７４を複数のラベル２８にインクジェット印刷するように構成されるインクジェットプリンタ１５２を含む。インクジェットプリンタ１５２のインクジェットプリントヘッド（図示せず）は、回路５６（図２）を破損させずに印を受容表面７４にインクジェット印刷するのに適する。これとは対照的に、ＲＦＩＤ対応ラベルをサーマル印刷すると、ラベルのＲＦＩＤ回路を破損させ、ラベルを役に立たないものにしてしまう危険性がある（状況はラベルが装置に取り付けられるまで発見されない場合が多い）。
【００４７】
シート２０は、デスクトップ印刷の場合と同様にインクジェットプリンタ１５２に供給され、ラベルの印刷されたシート１５４が生成される。印刷シート１５４上の各ラベルは、図４に示されるラベル２８と同様であり、ＶＯＬＳＥＲフィールド９０およびバーコードフィールド９４を含む。図１および図２を参照すると、シート２０は、アレイ２６に分散した複数のＲＦＩＤタグ４０を含む。一実施形態では、各ラベル２８は一意のＶＯＬＳＥＲ番号９２を含み、各メモリチップ６０には、その特定のラベル２８の少なくとも一意のＶＯＬＳＥＲ番号９２を含むデータ範囲が電子的にプログラムされる。別の実施形態では、各ラベル２８はユーザ指定のＶＯＬＳＥＲ番号９２を含み、各メモリチップ６０には、その特定のラベル２８の少なくともユーザ指定のＶＯＬＳＥＲ番号９２（一意のＶＯＬＳＥＲ番号でなくてもよい）を含むデータ範囲が電子的にプログラムされる。代替の実施形態では、複数のラベル２８が非一意のＶＯＬＳＥＲ番号９２を含み、メモリチップ６０には、少なくとも、その組のラベル２８のＶＯＬＳＥＲ番号を含むデータ範囲が電子的にプログラムされる。
【００４８】
シート２０は、ユーザが、安価で一般的に利用可能なインクジェットプリンタ１５２を使用して情報をインクジェット受容表面７４に印刷できるようにする。シート２０上の各ラベル２８には、異なるユーザ選択ラベルデータを印刷することができる。例えば、ラベル２８の１つには、ＶＯＬＳＥＲフィールド９０（図４）の最初のＶＯＬＳＥＲ番号を印刷し、別のラベル２８にはＶＯＬＳＥＲフィールド９０の別のＶＯＬＳＥＲ番号を印刷することができる。シート２０は、回路５６（図３）を破損する危険性なく、ＲＦＩＤタグ４０（図３）に直接インクジェット印刷できるようにする。さらに、ラベル２８が誤って印刷された場合、別のラベル２８をインクジェットプリンタ１５２により素早く安価に印刷することができる。
【００４９】
これとは対照的に、印刷ＲＦＩＤ対応ラベルは、印刷に使用されるサーマルプリンタまたはレーザプリンタに関連するＲＦＩＤ回路への起こり得る破損を最小限に抑えるように選択される多段階プロセスで組み立てられる。例えば、既知の印刷ＲＦＩＤ対応ラベルは、まず、紙ラベルを印刷し、印刷された紙ラベルに保護フィルムを積層し（耐インクスメア性のため）、それから紙／フィルム印刷ラベルをＲＦＩＤタグに取り付けることにより作成される。
【００５０】
図７Ｂは、ＶＯＬＳＥＲラベルシート１６０をインクジェット印刷するために利用されるシステム１５０の斜視図である。シート１６０は、複数のインクジェット受容積層体４２が取り付けられる剥離ライナ表面１６２を含む。インクジェットプリンタ１５２は、シート１６０を受け取り、複数の別個のインクジェット受容表面７４に少なくともＶＯＬＳＥＲフィールド９０（図４）をインクジェット印刷するように構成される。
【００５１】
シート１６０は、デスクトップ印刷の場合と同様にインクジェットプリンタ１５２に供給され、ＶＯＬＳＥＲラベルの印刷されたシート１６４が生成される。印刷シート１６４上の各ＶＯＬＳＥＲラベルは、図４に示されるラベル２８と同様であり、ＶＯＬＳＥＲフィールド９０およびバーコードフィールド９４を含むことができる。
【００５２】
インクジェット受容表面７４は、印刷される紙ラベルよりも優れた各種利点を提供する。いくつかの実施形態では、インクジェット受容表面７４は、輝度および白色度／銀色度の高い低背景濃度を有し、全色（すなわち、Ｃ（シアン）、Ｍ（マゼンタ）、Ｙ（イエロー）およびＫ（ＣＭＹ合成ブラック））で高レベルの色飽和を特徴とし、白色または銀色の背景に対して全色でシャープな解像度を提供し、色が他の色、特にＣＭＹ合成ブラックに隣接／接触するときに全色でシャープな解像度を提供し、耐水性（例えば、水滴が表面７４から拭き取られ、および／または吸い取られるときの色の滲みまたはスミアに対する高い耐性および表面７４が後述するように高湿度で格納される場合の色の滲みに対する高い耐性）を示し、表面７４が光および／または熱に曝された場合に高い耐退色性を示し（後述するＵＶ退色試験で測定される場合）、引っ掻き、摩擦、または擦傷による画像損失耐性を示し、かつ後述するような高い剥離強度を示す。これら特徴のうちのいくつかを以下のように定量化する。
【００５３】
Ｄｍｉｎ値
最小色濃度（「Ｄｍｉｎ値」）は、印／画像をインクジェット印刷する前のインクジェット受容表面７４の色濃度である。理想的な「純白」表面は、Ｄｍｉｎ値０を有する。これを念頭に置き、一実施形態では、インクジェット受容積層体４２は、インクジェット受容表面７４で測定される場合、Ｄｍｉｎ値０．１０以下、好ましくは０．０７以下を示す。
【００５４】
輝度値
いくつかの実施形態では、インクジェット受容積層体４２は、インクジェット受容表面７４で見た場合、インクジェット印刷前に高い輝度値を有する。印刷前の表面７４の「輝度値」は、酸化マグネシウム標準白板に対する、４５７ｎｍの、または約４５７ｎｍの波長で測定される、インクジェット受容表面７４に向けられる青色光の反射比率の、表面７４上での４点の読み取りの平均として求めることができる。理想的な「純白」表面は輝度値１００％を有する。これを念頭に置き、一実施形態では、インクジェット受容積層体４２は、インクジェット受容表面７４で測定される場合、少なくとも９０％、好ましくは少なくとも９５％、より好ましくは少なくとも１００％の輝度値を示す。
【００５５】
白色度（Ｌ＊値）
いくつかの実施形態では、インクジェット受容積層体４２は、インクジェット受容表面７４で見た場合、インクジェット印刷を受ける前に高い白色度を有する。印刷前の積層体４２の表面７４での白色度または「Ｌ＊値」は、濃度計／分光計（例えば、Ｘライトモデル（Ｘ−Ｒｉｔｅ  Ｍｏｄｅｌ）５２８濃度計／分光計）を使用してＣＩＥＬａｂ色空間定義に従ってＬ＊ａ＊ｂを測定することによって求めることができ、インクジェット受容表面７４上で測定される８点の平均である。これを念頭に置き、一実施形態では、インクジェット受容積層体４２は、インクジェット受容表面７４で測定された場合、９５．０超、好ましくは９５．５以上、より好ましくは９６．０以上のＬ＊値を示す。
【００５６】
色の均一性（ΔＥ値）
いくつかの実施形態では、インクジェット受容積層体４２は、インクジェット受容表面７４で見た場合、インクジェット印刷を受ける前に高い色の均一性を有する。インクジェット印刷前のインクジェット受容表面７４での積層体４２の色の均一性すなわち「ΔＥ値」は、以下の式：ｓｑｒｔ（（Ｌ１−Ｌ２）２＋（ａ１−ａ２）２＋（ｂ１−ｂ２）２）を使用して計算されるＣＩＥＬａｂ色空間での２点間の距離であり、インクジェット受容表面７４上で測定される８点の範囲である。これを念頭に置き、一実施形態では、インクジェット受容積層体４２は、インクジェット受容表面７４で測定された場合、２．０以下、好ましくは１．７５以下のΔＥ値を示す。
【００５７】
窒素吸着値
いくつかの実施形態では、インクジェット受容表面７４は、表面７４の見掛け面積と比較して広い窒素吸着表面積を提供することにより、インクジェット印刷インクの永久保持に非常に適する。表面７４の窒素吸着値は、ブルナウアー−エメット−テラー（ＢＥＴ）モデルで測定される窒素吸着表面積と表面の見掛け面積との比として定義することができる。これを念頭に置き、一実施形態では、インクジェット受容表面７４は、０．２ｍ２／ｉｎ２超、好ましくは０．４ｍ２／ｉｎ２超、より好ましくは０．８ｍ２／ｉｎ２超の窒素吸着値を示す。
【００５８】
無機粒子添加値
いくつかの実施形態では、インクジェット受容表面７４は、インクジェット印刷されたインクを保持するために比較的多量の無機粒子添加を有する。インクジェット受容表面７４の無機粒子添加値は、基板７２から外されたインクジェット受容表面７４の初期重量を測定し、適当な装置（例えば、ＴＧＡテスタ）内でインクジェット受容表面７４の有機成分を蒸発させてから、インクジェット受容表面７４を再計量することによって求めることができる。次に、無機粒子添加値は、（最終重量／初期重量）×１００で計算される割合として表される。これを念頭に置き、一実施形態では、インクジェット受容表面７４は、１５％超、好ましくは２５％超、好ましくは７５％未満、好ましくは１５％〜７５％の範囲の無機粒子添加値を示す。
【００５９】
耐水性光学濃度損失割合値
インクジェット受容積層体４２、特にインクジェット受容表面７４は、いくつかの実施形態では、耐水性であることを特徴とし、それにより、表面７４に印刷されたインクジェット印刷の印は、水に曝されてもあまり劣化しない。この性質は、水に曝す前と後の、表面７４に印刷されたインクジェット印刷の印の光学濃度を比較することによって定量化することができる。特に、耐水性光学濃度損失割合値は、まず、原色であるシアン（Ｃ）、マゼンタ（Ｍ）、イエロー（Ｙ）、ＣＭＹ合成ブラック（ＫまたはＶ）、ＭＹ合成レッド（Ｒ）、ＣＹ合成グリーン（Ｇ）、およびＣＭ合成ブルー（Ｂ）の彩度１００％の色見本を表面７４に作成することによって求めることができる。１９５７  ＵＳＡＦ解像度テストパターンも表面７４に、白地にＣＭＹ合成ブラックで画像形成される。これら画像を３分間乾燥させてから、画像の光学濃度を測定する。使用される各色の濃度は元来、異なるため、全色の複合または平均の光学濃度値が求められる（「初期合成濃度」）。次に、およそ１ミルの脱イオン水がＣＭＹＫ色見本上に配置される。この水を１０秒間そのままにしてから、セルロースベース技術の標準拭き取り吸い取り紙で吸い取る。吸い取り紙は試料を擦らず、単に試料表面に垂直に接触して離れるだけである。吸い取り紙の接触時間は２秒である。吸い取り紙の圧力は２５ｇ／ｉｎ２である。次に、平均または複合の彩度濃度が試料表面（「最終複合濃度」）および吸い取り紙の両方で測定される。次に、耐水性光学濃度損失割合値が、（（初期複合濃度−最終複合濃度）／初期複合濃度×１００として求められる。別法として、耐水性光学濃度損失値は、吸い取り紙の複合色彩度濃度として表すことができる。
【００６０】
上記を念頭に置き、一実施形態では、インクジェット受容積層体４２、特にインクジェット受容表面７４は、１０％以下、好ましくは７．５％以下、より好ましくは５％以下の耐水性光学濃度損失割合値を示す。他の実施形態では、インクジェット受容積層体４２、特にインクジェット受容表面７４は、０．４以下、好ましくは０．３以下、より好ましくは０．２以下の耐水性光学濃度損失値を示す。
【００６１】
ＵＶ退色光学濃度損失割合値
インクジェット受容表面７４は、いくつかの実施形態では、耐ＵＶ退色性を特徴とし、それにより、表面７４に印刷されたインクジェット印刷の印は、紫外線（ＵＶ）光に曝された場合にあまり劣化しない。この性質は、ＵＶ光に曝す前と後の、表面７４に印刷されたインクジェット印刷の印の光学濃度を比較することによって定量化することができる。特に、ＵＶ退色光学濃度損失割合値は、まず、原色であるシアン（Ｃ）、マゼンタ（Ｍ）、イエロー（Ｙ）、ＣＭＹ合成ブラック（ＫまたはＶ）、ＭＹ合成レッド（Ｒ）、ＣＹ合成グリーン（Ｇ）、およびＣＭ合成ブルー（Ｂ）の彩度１００％の色見本を表面７４に作成することによって求めることができる。１９５７  ＵＳＡＦ解像度テストパターンも表面７４に、白地にＣＭＹ合成ブラックで画像形成される。乾燥してから、これら画像の複合または平均の光学濃度が測定される（「初期複合濃度」）。次に、画像形成された試料が、中心間距離５５ｍｍで離間された蛍光灯（シルバニア（Ｓｙｌｖａｎｉａ）部品番号２４７７４）である２つのシルバニア（Ｓｙｌｖａｎｉａ）Ｆ４０／デイライト（Ｄａｙｌｉｇｈｔ）６５００Ｋ（初期出力２１５０ルーメン、４８インチ長／１インチ径）の表面の１９ｍｍ下に配置される。これら２つの蛍光灯を組み合わせたＵＶ電力出力（波長４００ｎｍ未満）は０．６８８ワットである。蛍光灯を囲む白色反射板は、ターゲット面積１８５８ｃｍ２を提供する開口を有し、面積出力密度３．７０×１０−４Ｗ／ｃｍ２を提供する。ＵＶに７２時間曝した後、彩度濃度が測定される（「最終複合濃度」）。次に、ＵＶ退色光学濃度損失割合値が、（（初期複合濃度−最終複合濃度）／初期複合濃度）×１００として求められる。
【００６２】
上記を念頭に置き、一実施形態では、インクジェット受容積層体４２、特にインクジェット受容表面７４は、１５％以下、好ましくは１０％以下のＵＶ退色光学濃度損失割合値を示す。
【００６３】
解像度値
相対解像度測定が、標準印刷１９５１  ＵＳＡＦ解像度テストパターン上の識別できる最小の特徴をランク付けすることにより行われる。格付けは、整数部の後に小数部が続くものからなる（例えば、−１．３）。整数部（小数部の前に配置されるもの）はテストパターンのサブセットを記述する。数が大きくなるにつれて、サブセットはよりよい解像度を意味するより小さい特徴サイズに区分けされる（例えば、−１．０は−２．０よりも小さい特徴（よりよい解像度）を表す）。
格付けの小数部はサブセット内のランクを記述し、大きい数ほど、サブセット内のサイズの小さな特徴を記述する（例えば、−１．７は−１．３よりも小さな特徴（よりよい解像度）を表す）。したがって、解像度格付けを、あたかも単一の数であるかのように比較することはできない。格付けの整数部をまず上述したように比較しなければならない。整数部が等しい場合、格付けの小数部が、より高精度に弁別するものとして比較される。これを念頭に置き、一実施形態では、インクジェット受容積層体４２、特にインクジェット受容表面７４は、少なくとも−１．５、より好ましくは少なくとも−２．１、さらに好ましくは少なくとも−２．３の解像度値を示す。
【００６４】
ＢＦＲ値
上述したように、インクジェット受容積層体４２は、好ましくは、通常条件下、さらには極端な使用条件または格納条件下であっても色の滲みに対して高い耐性を示す。このために、「滲み」は以下のテストに従って評価することができる。印刷画像が、ブラック（合成ＣＭＹ）背景内の彩度１００％の白色、シアン（Ｃ）、マゼンタ（Ｍ）、およびイエロー（Ｙ）ラインパターンを使用してインクジェット受容表面７４に作成される。ブラック背景内のこれらパターンをそれぞれ、白色オンブラック（Ｗ−Ｂ）、シアンオンブラック（Ｃ−Ｂ）、マゼンタオンブラック（Ｍ−Ｂ）、およびイエローオンブラック（Ｙ−Ｂ）と呼ぶ。画像は、ＨＰデスクジェット（Ｄｅｓｋｊｅｔ）５１５０印刷エンジンおよび強調オプションがディセーブルされた工場デフォルトドライバ設定を使用して作成される。各色のラインパターンは４つの線幅、すなわち２ポイント、４ポイント、８ポイント、および１６ポイントの線幅からなる。測定される、これら印刷線幅はそれぞれ、０．０３２ｍｍ、０．０６４ｍｍ、０．１２８ｍｍ、および０．２５６ｍｍである。テスト解像度／感度／識別性を向上させるため、および／または範囲を広げるために、これら幅の間の線幅、大きい線幅、または小さい線幅も構築することができる。各色の各線幅は、垂直、水平、水平に対して正の傾きにセットされる４５°斜め、および水平に対して負の傾きにセットされる４５°斜めの向きの線方向を有して印刷される。線長は４ｍｍである。合成ブラック背景に取り込まれている多量のインクは、カラーラインエリアに移動する（すなわち「滲む」）傾向を有する。これが発生すると、線は黒色で見えなくなる。ブラックフィールド解像度（「ＢＦＲ値」）は、倍率１２で見たときに、任意の線長（すなわち、任意の方向の任意の線）の１０％未満が完全に隠された、すなわち線長の９０％超が元の線色（白色、Ｃ、Ｍ、またはＹ）がいくらか見える幅を保持した最小線幅（ポイント単位）として推定される。複合ＢＦＲ値は、これら４つの線色群の格付けの平均である。したがって、低いＢＦＲ値ほど、良好な印字品質を表す。
【００６５】
このテストプロトコルを念頭に置き、一実施形態によれば、インクジェット受容積層体４２、特にインクジェット受容表面７４は、好ましくは、３０以下の、個々の各線色群のＢＦＲ値および／またはすべての線群の複合ＢＦＲ値、より好ましくは１６以下のＢＦＲ値または複合ＢＦＲ値、より好ましくは８以下のＢＦＲ値または複合ＢＦＲ値、さらにより好ましくは４以下のＢＦＲ値または複合ＢＦＲ値、さらにより好ましくは２以下のＢＦＲ値または複合ＢＦＲ値、さらに最も好ましくは１以下のＢＦＲ値または複合ＢＦＲ値を示す。これら好ましいＢＦＲ値および複合ＢＦＲ値は、一実施形態では、以下の各およびすべての条件下、すなわち、印刷後５〜１０分以内、印刷後２４時間以内（１８〜２０℃かつ３５〜６５％ＲＨの室内条件下で格納される）、印刷後７２時間（４０℃および８５％ＲＨに曝す）後、７２時間（５５℃および８５％ＲＨに曝す）後、および７２時間（７０℃および８５％ＲＨに曝す）後で示される。本明細書では、「滲み」は、最も好ましくは時間および環境要因によるＢＦＲ値または複合ＢＦＲ値の増大がない（すなわち、変化しない）こと、第２に最も好ましくは時間および環境要因によるＢＦＲ値または複合ＢＦＲ値の増大が１００％以下であること、第３に最も好ましくは時間および環境要因によるＢＦＲ値または複合ＢＦＲ値の増大が２００％以下であること、第４に最も好ましくは時間および環境要因によるＢＦＲ値または複合ＢＦＲ値の増大が４００％以下であること、第５に最も好ましくは時間および環境要因によるＢＦＲ値または複合ＢＦＲ値の増大が８００％以下であることとして技術的に定義されることに留意されたい。
【００６６】
乾燥時間
いくつかの実施形態では、インクジェット受容積層体４２、特にインクジェット受容表面７４は、インクジェット印刷されたインクの高速乾燥を促進する（１８〜２０℃かつ３５〜６５％ＲＨという通常環境条件下で）ことを特徴とする。参照として、表面に印刷されたインクジェットは、綿球で擦ったときに印刷されたインクが綿球に移らなくなったときに「乾燥」したとみなされる。これを念頭に置き、一実施形態では、インクジェット受容表面７４は、通常環境条件下でインクジェット印刷されたインクの乾燥時間３分未満、好ましくは１分未満、より好ましくは３０秒未満を達成することを特徴とする。
【００６７】
特定の実施形態を本明細書に図示し説明したが、本発明の範囲から逸脱することなく、多種多様な代替および／または均等な実施態様で、図示し説明した特定の実施形態を置き換えてもよいことが当業者により理解されよう。本願は、本明細書において考察したインクジェット印刷可能ＲＦＩＤラベルのあらゆる適合または変形を包含するものである。したがって、明らかに、本発明は特許請求の範囲およびその均等物によってのみ限定されるものである。
【図面の簡単な説明】
【００６８】
【図１】一実施形態によるインクジェット印刷可能ＲＦＩＤラベルシートの上面図である。
【図２】図１に示すインクジェット印刷可能ＲＦＩＤラベルのうちの１つの断面図である。
【図３】ＲＦＩＤ回路を示す、図２に示すインクジェット印刷可能ＲＦＩＤラベルの底面図である。
【図４】インクジェット受容表面を示す、図２に示すインクジェット印刷可能ＲＦＩＤラベルの上面図である。
【図５】一実施形態によるデータ記憶装置に取り付けられたインクジェット印刷可能ＲＦＩＤラベルの斜視図である。
【図６Ａ】データ記憶装置に取り付け可能なインクジェット印刷可能積層体およびＲＦＩＤタグの別の実施形態の斜視図である。
【図６Ｂ】データ記憶装置に取り付け可能な、一実施形態によるインクジェット印刷可能積層体の斜視図である。
【図７Ａ】インクジェットプリンタに挿入可能な、一実施形態によるインクジェット印刷可能ＲＦＩＤラベルシートの斜視図である。
【図７Ｂ】インクジェットプリンタに挿入可能な、一実施形態によるインクジェット印刷可能ＶＯＬＳＥＲラベルシートの斜視図である。
【図１】
2008262169.tif 000002
【図２】
2008262169.tif 000003
【図３】
2008262169.tif 000004
【図４】
2008262169.tif 000005
【図５】
2008262169.tif 000006
【図６Ａ】
2008262169.tif 000007
【図６Ｂ】
2008262169.tif 000008
【図７Ａ】
2008262169.tif 000009
【図７Ｂ】
2008262169.tif 000010
【外国語明細書】
2008262169.tif 000011
2008262169.tif 000012
2008262169.tif 000013
2008262169.tif 000014
2008262169.tif 000015
2008262169.tif 000016
2008262169.tif 000017
2008262169.tif 000018
2008262169.tif 000019
2008262169.tif 000020
2008262169.tif 000021
2008262169.tif 000022
2008262169.tif 000023
2008262169.tif 000024
2008262169.tif 000025
2008262169.tif 000026
2008262169.tif 000027
2008262169.tif 000028
2008262169.tif 000029
2008262169.tif 000030
2008262169.tif 000031
2008262169.tif 000032
2008262169.tif 000033
2008262169.tif 000034
2008262169.tif 000035
2008262169.tif 000036
2008262169.tif 000037
2008262169.tif 000038
2008262169.tif 000039
2008262169.tif 000040